【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
人工を含む裸宝石を水没させた液体を押し下げる上下動体と前記液体を収納する容器を有し、この容器と前記上下動体とを透明とし、しかも前記上下動体と前記容器との隙間を２ｍｍ以下としたことを特徴とする宝石収納容器。
【請求項２】
人工を含む裸宝石を水没させた液体を押し下げる上下動体と前記液体を収納する容器を有するスタンドを形成し、この容器と前記上下動体との隙間を２ｍｍ以下とし、かつ前記容器と前記上下動体とを透明とし、球状３６０度方向から見たとき、スケルトン状に前記スタンド全景を観賞可能とし、前記上下動体を押し下げて前記液体を上昇させかつ蒸散させることを特徴とする液体の蒸散方法及び／又は宝石の輝盛方法。
【請求項３】
人工を含む裸宝石と前記液体と気泡を含んだ気体とが内部で乱反射し合い煌めくモザイクレンズと化する全スケルトンスタンドは、入射光を変化させる鏡を必要としない三次元立体充填映像の光学的万華鏡と化することを特徴とする請求項２に記載の液体の蒸散方法及び／又は宝石の輝盛方法。
【請求項４】
前記上下動体と前記液体を収納する容器を有するスタンドに、宝石やネックレスのようなアクセサリーを観賞可能なように支持したことを特徴とする請求項１に記載の宝石収納容器。
【手続補正２】
【補正対象書類名】明細書
【補正対象項目名】０００５
【補正方法】変更
【補正の内容】
【０００５】
本発明の技術的課題は次のような手段によって解決される。請求項１は、人工を含む裸宝石を水没させた液体を押し下げる上下動体と前記液体を収納する容器を有し、この容器と前記上下動体とを透明とし、しかも前記上下動体と前記容器との隙間を２ｍｍ以下としたことを特徴とする宝石収納容器である。なお、本発明で「水没させた液体」とは「水」以外の液体も含んでいるものとする。
請求項２は、人工を含む裸宝石を水没させた液体を押し下げる上下動体と前記液体を収納する容器を有するスタンドを形成し、この容器と前記上下動体との隙間を２ｍｍ以下とし、かつ前記容器と前記上下動体とを透明とし、球状３６０度方向から見たとき、スケルトン状に前記スタンド全景を観賞可能とし、前記上下動体を押し下げて前記液体を上昇させかつ蒸散させることを特徴とする液体の蒸散方法及び／又は宝石の輝盛方法である。
請求項３は、人工を含む裸宝石と前記液体と気泡を含んだ気体とが内部で乱反射し合い煌めくモザイクレンズと化する全スケルトンスタンドは、入射光を変化させる鏡を必要としない三次元立体充填映像の光学的万華鏡と化することを特徴とする請求項２に記載の液体の蒸散方法及び／又は宝石の輝盛方法である。
請求項４は、前記上下動体と前記液体を収納する容器を有するスタンドに、宝石やネックレスのようなアクセサリーを観賞可能なように支持したことを特徴とする請求項１に記載の宝石収納容器である。
次に、前記請求項の記載を詳述する。液体を浮上させるテクノロジーの多くは毛細管現象を活用している。例えば、容器下端から上端まで吸い上げる棒管上部に多孔質の球体を取り付け、蒸散表面積を広げる（例えば、特許文献2 ）、あるいは容器下端から上端までフェルト等芯材で吸い上げる（例えば、特許文献3 ）、又は繊維層で吸い上げ空気に触れる上部複数の植毛に模様を描きながら気化を増大させる（例えば、特許文献4 ）、又は金属コイル管で吸い上げる（例えば、特許文献5 ）等の場合、いずれも光を透過不可な不透明な素材（金属・樹木・多孔質固体・柔軟繊維質）により毛細管現象を活用しているものの、前記素材は酸化、又は汚染され、つまりが生じると使い捨てか交換、あるいは修理を要し、錆びたり劣化すると毛細管現象を弱めてしまう難点が生じ得る。本発明は、定められた液量を毛細管現象よりも強い力で液体を沈下させる上下動体例えば図のような板状態重量で容器最上部手前まで溢れこぼれず押し上げ、気化が進行し液体が減少してもスタンドそのもののカラクリが、下部裸宝石間の液体内に気泡が生じても、液体の凝集力により裸宝石より上部エリアの液体は滴下せず又、不透明な芯管を必要とせず揺らすと毛細管現象で上昇させるハイブリット型であると共に、スタンド全景には陰を生じさせなく全透明であると共に故障することもなく、液体と気体が変幻する模様を生じさせ、入射光をスタンド全景が乱反射させる様を、球状360 度全方向からスケルトン状に観覚でき、光源により集散遠近するスタンド全景の影模様をも楽しめる。
本発明に使用する素材は液体を吸収せず弾き（経年劣化を除き）劣化汚染しない透明ガラス、又は硬密度の高いアクリル等樹脂であり、又、例え壁面に液体が乾燥し、残留付着した化学物質の汚染物や油分でも（交換を必要とするパーツはなく）コスメアイテムやキッチングッズ同様清潔に、簡単に分解せずとも洗剤で洗浄可能で又、市販されている除菌・殺菌・消毒用アルコールやエタノール等で簡単にスタンド全体をクリーニング、又は汚れを拭き取ることができる。
又、硬密度の低い例外を除き、ほとんどの裸宝石は高温と氷点下に強く、100 度の沸騰熱水中内で煮沸消毒ができるものの、本発明に活用可能な宝石は、モース硬度・へき開・じん性・インクリーションを考慮する専門家のアドバイスを頂くことが好ましい。
【手続補正３】
【補正対象書類名】明細書
【補正対象項目名】００１１
【補正方法】変更
【補正の内容】
【００１１】
（効果１）惑星上、人類のみが宝石に魅力を感じる知性を秘めている。古代より現代まで王冠、指輪、首飾り等アクセサリー、又は不透明な机上に並べたり、金属ピンセットで挟み空中で回転鑑定したりしてきたが、これらの方法ではどうしても宝石には必ず陰が生じ、本来の宝石美の輝きは乏しくなると同時に又、球状360 度全方向から可視することは不可能であった。
又、地下鉱床や鉱脈に眠る宝石、河底砂岩上に沈んでいる宝石、あるいは真空中や大気中より宝石は液体中の方が盛輝し、水槽内液体中で手腕等の陰が生じないよう透明ピンセットで挟むと同等に本発明は真空、大気、河底、土中内以上に盛輝する「液体凝集力により気体なく直に密着され、裸宝石の全面角が抱かれ最大限に宝石本来の美を発揮」球状360 度全方向から鏡面反射、及び全透過と全反射することを観賞出来ることを実現とした。
近年、鉱物博物館等では、透明硬密素材の台座上に裸宝石を見映え良く安置、お洒落にライトアップするが、やはり大気中であり、本発明の液体中の方が最大限に裸宝石本来の美を、電力を使用することなくより最大限に遺憾なく輝かせることを発揮することになる。
（効果の１Ａ）本発明液体内では有色不透明裸宝石全面角は球状360 度全方向からの入射光を陰を生じさせず鏡面反射、大気中より最大限に煌めかせる。
（効果の１Ｂ）有色含む透明裸宝石は、球状360 度全方向からの入射光を大気中より全透過、折屈、偏光し全面角は最大限に煌めきながら必ずどこかの内面は臨界角が生じ全反射する。
上記（Ａ）のみ、（Ｂ）のみ、（Ａ）と（Ｂ）を混在させても、いずれの場合も最大限に乱反射する美を、ほとんどの方々は未体験である。
（効果２）通常、複数粒の宝石を散りばめたリングやペンダントヘッドは、例えば十字型、ハート型、花型、星型であれ、同種・同型（大きさ）・同カラット・同クオリティーの複数宝石を幾何学的に正確に並べ、全宝石の向きが一定とすべく、金銀プラチナ等の台座に各宝石が固定されるようにフック（爪）で止める。本発明はファッションとして身に付けることは不可能だが、請求項４を示す例えば図１１や図１２のような構成にすれば、家族や客人が集うリビングルームにインテリアとして飾る場合、又は多くの方々が訪れる様々な店舗やショールームに飾る場合、沢山の方々が裸宝石が最大限に輝き乱反射する様をいつでも誰もが、時に皆で一緒に観賞する利点が生じる。
又、本発明は各種宝石付アクセサリーのように、高価な金銀プラチナ等を必要とせず、一流彫金師の技術や秀でたデザイナーのセンス等の才能の力を借りることもなく、本発明では色・種類・大小・型・クオリティー・カラットが異なる裸宝石を花束のように陰なく密に積み重ね混在させることが出来、同方向に整列させたり固定させる必要もない。花束は数日で枯れてしまうが、惑星上最も硬密な結晶裸宝石達は恒久的に破損傷しない限り、過酷な環境でない限りまず色褪せることなく経年劣化せず、その輝きは衰えることを知らない。よって服の色を変えるように自身の好みで時に取捨選択し、本発明に使用する裸宝石を、その時の気分により変えることも出来、カラーセラピーの道具ともなると共に、安価な鉱物（例えば3 千種はあるジャスパー属等）を小型のブリリアントカット等にカット研磨することは先ずなかったが、本発明では必要とすることで様々な種色の裸宝石をコレクションし始める新しいタイプの収集家達が誕生すると推測する。
（効果３）本発明に充填する液体は人体に有害ではない市販、又はブレンドされた個人の手造りに限る。防虫液・消臭液・芳香液・純水等であるが、閉じることのない０mm以上２mm以下の開口小スペースから24時間、365 日、ゆっくりと序々にほのかに蒸散し続ける為、芳香液の場合、近くに花束があると同様に辺り一面に芳香することと、芳香させたくなければ純水、蚊やハエ等虫を寄せ付けたくなければ防虫液、空間に漂う匂いを爽快に保ちたければ消臭液を時と場合によって変えることを可能とし、充填された液体に凝集付着しレンズと化する裸宝石の最大限の乱反射をスケルトン状に同時に楽しめることを実現する。又、純水を充填し（沈下板１）（沈下棒33）を使用する変わりに液体に没し大気中より盛輝する裸宝石間に草花の根茎を差すミニ花瓶として、あるいは液体を充填しなければ、（沈下板１）の変わりに豪華絢爛な裸宝石に乗る名刺やカード差しスタンドともなり、いずれの使い方でもペーパーウェイトともなり、様々に実用可能なインテリアグッズを実現する発明である。
（効果４）充填する液体がそのままではインテリアとしては物足りず、本発明は、気体気泡と隣接すると決して直線とはならずに必ず湾曲含む球状レンズと化する液体が、入射光を虹のように屈折させ彩虹を生み又、オイルや起泡液を含む液体はシャボン玉のように回析遊色等するように液体色には含まれない色彩プリズムを意図的に生じさせるべく、実験により、いかなる種の液体でも毛細管現象と凝集付着し滴下しない両者を兼ねる0 mm以上2 mm以下の数値を発見し応用するものである。即ちモデル1 の（沈下板1 ）と（容器間2 ）間の高さ21 mm 、あるいはモデル2 の（沈下棒33）と（円柱筒型容器35）間の高さ110 mmは、０mm以上２mm以下の狭間である為、充填された液体は上下動体例えば図のような板状態を容器内に沈下させると重力により液体は押し昇げられ、一担浮上した液体は重力に勝る凝集力により滴下せずに残留、閉じることのない上部開口から蒸散が進むと凝集付着残留した液体の上下左右部に気泡が生じ液体と気体の両者が凹凸レンズと化し模様を描く効果を生み、充填する液体の蒸散効能と液体中で大気中より盛輝する裸宝石と共に、実用的かつお洒落なインテリアグッズとすることを実現した。
さらに、有色含む透明裸宝石は本発明では陰が生じないのでレンズと化し（有色不透明裸宝石は鏡と化する）裸宝石全面角にも液体は凝集付着することで（裸宝石と液体の）二重のレンズと化し単なる液体のみの液泡である彩虹、又は遊色プリズム以上にいかなる種の裸宝石もより映え輝かすことになる。
又、陰が生じる素材を一切使用しない透明素材のみの本発明スタンドは、電力を使用せず外気温の変化により仕切りがない為に、液体は移動、かつ蒸散口が小さなスタンド内液体は、一担スタンド内で気化しても
再度０mm以上２mm以下の間で水滴に還元したり、他の場所の液泡に付着（液体分子同志が引き寄せ合い付着し合う現象も凝集力である）、付着した液泡を大きくしたりと、スケルトン状に液体が縦横無尽に循環する模様をインテリアとして鑑賞することを実現した。又、有色不透明な市販されている真っ黒な墨汁原液でも、０mm以上２mm以下の間で密に積み重なる裸宝石間では光を赤く透過する実験結果の事実は、ほとんど全ての色付けされた液体は、本発明内では有色透明となり、色彩ある液体を使用すると無色透明液とは異なる味わいを生むファッショナブルなカラーセラピーともなる。又、モデル1 と2 は一例であり、他のデザインも可能である。さらに、有色無色両裸宝石は、充填する液体が色彩ある場合、その液色彩に透明不透明裸宝石でもカラフルに染まるものの、地球上最も硬密な結晶達である裸宝石が染まる液体色は温水や洗剤、エタノール等で簡単に落ちる。
（効果５）本発明そのものが様々な光学的万華鏡、又はテレイドスコープと化する。モデル1 を全透明なアクリルを素材とした場合、（沈下板１）は直方体である為、遠近どの方向から可視する上面からは下面下の入射光と液体に乱反射する裸宝石の21 mm 高に積み重なる三次元立体充填映像を直方体アクリル内側の前後左右全反射面（全反射は理論上、鏡より優れた100 ％の反射率）をトンネルとして屈折反転させ浮上させる覗く必要のない万華鏡と化すると共に、上面から顕微鏡のように覗くと、鏡不要の宝石万華鏡と化する効果を本発明とする。又、モデル1 の（土台3 ）又、モデル2 の（収納スタンド36〜37）をアクリルとし断面を意図的に凹凸湾曲面鏡面仕上げとすると、両者共に双眼鏡のように夜景光源を覗くと、アクリル内全反射トンネル内で光の分光・ハレーション・光条スペクトルの鏡不要な光のドップラー効果万華鏡と化することを発見し応用する発明とした。又、モデル2 の（円柱筒型容器35）と（沈下棒33）を合体させ水平とし（重力に勝る０mm以上２mm以下の液体凝集付着を活用している為、水平としても液垂れしない）、双眼鏡のように覗くと、暗闇中光源点に対し目を細めた時に動く上瞼下端に入射光が回析し上方へ光柱ハレーション上昇するように、前記合体水平状は、多色大小強弱の上下左右遠近に位置する、全夜景光源を回析、さらに容器・沈下棒・両間狭間の3 重輪状に複雑全反射に施光させ（目を細める以上に）上下の光柱模様万華鏡と化する。さらに本発明に限らず有色含む透明素材にビデオ含むカメラの夜景光源撮影用フィルター（クロス4 条・スノウ6 ー8 条）のような幾何学模様や格子柄条線を彫り刻み、メガネのように夜影光源を覗くとハレーションとスペクトルの万華鏡と化し、多色単有色含む透明シール、又はフィルムに刻むと透明材質のどこにでも貼り覗くことが可能な万華鏡と化する。（効果５）で述べた種々の全万華鏡は、傾けたり移動させると比例し光も同時に移動すると共に、定点から覗き近付き又は離れてゆく光源である例えば花火、車、飛行機、列車、船舶等の移動する光源、又は移動する場から覗く定点光源、あるいはゆらめくロウソクや焚き火の炎、さらに多色単色に点滅するLED イルミネーションは、幻想的に心踊るかのような目視する以上の光の乱舞と化する。
（効果６）本発明は陰が生じる素材は一切使用しない有色透明と無色透明素材のみで造る為、屈折率が異なる「透明素材・有色含む透明液体・有色含む透明及び不透明裸宝石（有色不透明裸宝石全面角は入射光を鏡面反射するので陰は生じない）・本発明内に生じる透明気泡」がコラボレーションし、全体が１つの複雑な液体の増減により変幻するモザイク凹凸レンズと化するスケルトンは、入射光を乱反射させると共に、落ちる遠近集散する影はスノーダスト（細氷）のようにスライドプロジェクターの役割を果たすインテリアグッズとなる。又、宝飾品や大切な宝物等を安置可能な台座ともなる。
本発明は前記の（効果１〜６）の電力を使用しないテクノロジーを単純な手の平サイズのスタンドにコンパクトに集約することを実現するものである。